(57)【特許請求の範囲】
【請求項１】
ソレノイドと、ソレノイドに磁性板が吸引されて回動される球送り部材とが、ユニットケースに装着されたパチンコ機の球送り装置において、
前記磁性板を、その両端を折り曲げて球送り部材に嵌着して、固定のための取付部品を省略するとともに、
ソレノイドの鉄心の一方の先端面周縁をコイルを巻いたボビンケースの端面により被覆して、ボビンケース端面と鉄心先端面との間に磁性板と鉄心との直接接触を回避するための段差を設けたうえに、
鉄心には係止穴を設け、ユニットケースには突起を設けて、突起を係止穴に隙間をもって嵌め込んでソレノイドをユニットケースに装着したことを特徴とするパチンコ機の球送り装置。
【発明の詳細な説明】
【０００１】
【発明の属する技術分野】
本発明は、球供給皿から供給された球を一球づつパチンコ機内の球発射レールに送出するためのパチンコ機の球送り装置に関するものである。
【０００２】
【従来の技術】
パチンコ機の遊技盤下部には、図６、７に示すように、球発射レール３０、ロータリーソレノイド４０、ロータリーソレノイド４０により駆動され球を弾く弾球槌４１、球を一球づつ球発射レール３０に送出する球送り装置のユニットケース１０などの球を遊技盤面に発射するための球発射装置が備えられている。そして、遊技球を一球づつパチンコ機内の球発射位置に送り込むための球送り装置の一つとして、例えば図８、９に示すように、所要の形状、サイズとしたユニットケース１０本体に、球供給皿（図示していない）から送り込まれた球を受け入れる導入口４と、球を球発射レール３０に送出する送出口５とを連通して設けたうえに、ソレノイド３と、ソレノイド３の通電により揺動される球送り部材２を備えたものがある。このような球送り装置は、ソレノイド３がＯＮの状態で磁性板６が装着された球送り部材２を上方に吸引、回動することによって、球供給皿から送り込まれた球列の先頭球をその押下圧により球送り部材２の球受け部７に取り込んで受け入れ球とする。この状態では受け入れ球は送出口５の一部に支えているので球受け部７から流出することはできない。次いで、図１０、１１に示すように、ソレノイド３をＯＦＦとして球送り部材２を重力により下方に回動させて球受け部７を送出口５底面と同じ高さとすることによって受け入れ球を球発射レール３０に送出することができる。このような球の受け入れ、送出は１分間当り１００回連続的に行われて遊技盤面に球が打ち出される。
【０００３】
上記したような球送り装置においては、球を発射の寸前までに球発射位置に供給して静止させる繰り返し動作が長期にわたり安定していることが求められる。しかしながら、従来のパチンコ機の球送り装置においては、磁性板６の鉄心への直接接触で残留磁気が蓄積されることによりソレノイド３の吸引力が変動したり、ソレノイド３の鉄心に球送り部材２が衝突する時に衝撃や振動が発生して球の静止状態に支障を来し球の発射速度にばらつきを生ずることがあった。また、ソレノイドのユニットケースへの装着はビスなどにより堅固に固定していたために、ソレノイドの振動が減衰せずに伝播しやすいものであった。このような、球送り部材２の鉄心への直接衝突を回避するために鉄心先端近傍にストッパーを設けた場合には、ストッパーと鉄心先端との間隔にパチンコ機間の取付誤差が生じてソレノイドの吸引力にばらつきが生じたり、ストッパーに衝撃を緩和するための緩衝材を装着せねばならないという問題があった。また、球送り装置においても装置の構成を単純化してメンテナンスを不要としたりしてコストダウンを図ることが求められている。特にプラスチック製の球送り部材２への磁性板６の取り付けは従来は貫通穴にピンなどを挿通することにより固定していたために組み付けが面倒であるとともに、分別回収時の解体が煩わしいものとなるという問題があった。
【０００４】
【発明が解決しようとする課題】
本発明は上記した従来の問題点を解決し、球送り部材がソレノイドに吸引される時の衝撃を低減して、球を長期にわたり安定供給することができ、構造が簡単で組み付け、解体の容易なパチンコ機の球送り装置を提供するためになされたものである。
【０００５】
【課題を解決するための手段】
上記の課題を解決するためになされた本発明のパチンコ機の球送り装置は、ソレノイドと、ソレノイドに磁性板が吸引されて回動される球送り部材とが、ユニットケースに装着されたパチンコ機の球送り装置において、
前記磁性板を、その両端を折り曲げて球送り部材に嵌着して、固定のための取付部品を省略するとともに、
ソレノイドの鉄心の一方の先端面周縁をコイルを巻いたボビンケースの端面により被覆して、ボビンケース端面と鉄心先端面との間に磁性板と鉄心との直接接触を回避するための段差を設けたうえに、
鉄心には係止穴を設け、ユニットケースには突起を設けて、突起を係止穴に隙間をもって嵌め込んでソレノイドをユニットケースに装着したことを特徴とするものである。
【０００６】
本発明のパチンコ機の球送り装置は、球送り部材への磁性板の装着を磁性板両側端を折り曲げて鈎形に形成したうえ磁性板の弾性変形を利用して嵌着する方式としたことにより、従来のような固定のためのピン等の取付部品を必要とせず組み付け、解体が容易で、部品点数を低減することができるうえ、球送り部材を軽量化してソレノイドへの吸引時の衝撃を小さくすることができる。また、鉄心の一方の先端面周縁をコイルを巻いたボビンケースの端面により被覆して、ボビンケース端面と鉄心先端面との間に段差を設けたことにより、球送り部材がソレノイドに吸引された時に、球送り部材の回動を磁性板が直接鉄心に触れることなくボビンケース端面にて受け止めて停止させることができる。従って、従来のような緩衝材を装着したストッパーを不要にできるうえに、磁性材の残留磁気が鉄心に蓄積されることがないのでソレノイドの吸引力が変動することがない。また、球送り部材の回動が停止された時の磁性板と鉄心との間隔を段差により一定に保つことができるのでパチンコ機間の取付誤差による吸引力のばらつきが生ずることがない。また、球送り装置のユニットケースに装着された鉄心に直接衝撃がかかることがなく、ソレノイドにて振動を減衰させることができる。また、ソレノイドは鉄心に設けた係止穴によりユニットケースに緩やかに装着されているためユニットケースに伝わる振動を著しく低減することができ、送出した球を速やかに静止させて球の発射速度を安定して一定に保つことができる。
【０００７】
【発明の実施の形態】
以下に図面を参照しつつ本発明の好ましい実施形態を示す。
図１は、本発明のパチンコ機の球送り装置を備えた球発射装置の要部を示す図であって、既述したように、球発射装置は、球発射レール３０、ロータリーソレノイド４０、ロータリーソレノイド４０により駆動され球を弾く弾球槌４１、球を一球づつ球発射レール３０に送出する球送り装置のユニットケース１０により構成されている。なお、ユニットケース１０はヒンジ１により開閉可能に遊技盤に取り付けられている。また、２０は球供給皿（図示していない）が前面に備えられた開閉パネルである。
【０００８】
図２はユニットケース１０の内部を示す図であって、１は上記したヒンジ、２は球送り部材、３はソレノイド、４は球供給皿から送り込まれる球の導入口、５は球送り部材２が受け入れた球を一つづつ球発射レール３０に送り出すための球の送出口である。球送り部材２には磁性板６が嵌着されていてソレノイド３がＯＮとなって通電されたときにソレノイド３に軸２２を中心に回動して吸引される。図においてはソレノイド３はＯＦＦとなった非通電状態であって、球送り部材２は重力により左廻りに回動してユニットケース１０と一体に形成されたストッパー１１により受け止められている。この状態では球送り部材２の球止め部２３が球供給皿から送り込まれる球の導入口４に臨んでいるので球は流下を阻止されている。
【０００９】
次いで、ソレノイド３がＯＮとなると、図３に示すように磁性板６がソレノイド３に吸引される結果球送り部材２は右廻りに回動して、磁性板６がボビンケース３２の先端に当たったところで停止する。この時流下を阻止されていた球列の先頭球は球止め部２３による流下の停止を解除されて球受け部７に流入することができる。しかしながら、この状態においては球受け部７の位置と球の送出口５との位置には若干のずれが存在するため、流入球はそのまま発射レール３０に送出されることはない。次にソレノイド３がＯＦＦとなって球送り部材２が図２に示す状態に戻って球受け部７の位置が球の送出口５と一致したところで球は球発射レール３０に送出される。そして、次の球列の先頭球は再び球止め部２３によって流下を阻止されるので球受け部７に流入することはできない。以上のようにして球は一球づつ弾球槌４１の動きに同期、連動させて球発射レール３０に送出される。
【００１０】
図４は球送り部材２の構成を示す図であって、硬質樹脂などのプラスチック製の球送り部材２には、ソレノイド３に吸引される磁性板６が装着されている。この磁性板６は図ｃに示すように両側端をコの字形に折り曲げたうえさらにその先端を縮幅して鈎型に形成してある。このような形状とした磁性板６は先端の間口を拡げても弾性変形するので形状復元可能である。従って、この弾性変形を利用して磁性板６は球送り部材２のソレノイド３に当接する面に嵌め込まれている。なお、磁性板６としては、磁石に吸引可能な鉄、ニッケルやそれらの合金を用いることができる。
【００１１】
また、ソレノイド３は、図５に示すように略コの字形に形成された鉄心３１にコイル３３が巻かれたボビンケース３２が外装されている。鉄心３１の一方の先端面の周縁部はボビンケース３２の端面により被覆して、ボビンケース３２の先端面と、鉄心３１の先端面との間に段差を設けてボビンケース３２を鉄心３１より僅かに高く形成してある。従って、ソレノイド３が球送り部材２を吸引した時に磁性板６が直接鉄心３１に当たることがないので、磁性板６が有する残留磁気が鉄心３１に蓄積されることがなく、ソレノイド３の吸引力が変動することがない。また、球送り部材２の吸引が停止された時の磁性板６と鉄心３１との間隔を段差により一定に保つことができるので、従来のようなパチンコ機間の取付誤差による吸引力のばらつきが生ずることがない。さらに、従来は鉄心３１からユニットケース１０に直接伝えられていた球送り部材２の回動停止時の衝撃がボビンケース３２やコイル３３により吸収される。また、鉄心３１には係止穴３４が設けられて、図２に示したように、ユニットケース１０の突起に緩やかに嵌め込まれ、着座面１３とユニットケース１０の側面とによりガタつくことなく据え付けられている。従って、ソレノイド３が振動しても、ユニットケース１０との間に僅かな隙間を形成することができるので、ユニットケース１０に伝達される振動を著しく小さいものとすることができる。
【００１２】
【発明の効果】
以上に説明したように、本発明のパチンコ機の球送り装置は、球送り部材への磁性板の装着を磁性板両側端を折り曲げて鈎形に形成したうえ磁性板の弾性変形を利用して嵌着する方式としたことにより、従来のような固定のためのピン等の取付部品を必要とせず組み付け、解体が容易で、部品点数を低減することができるうえ、球送り部材を軽量化してソレノイドへの吸引時の衝撃を小さくすることができる。また、鉄心の一方の先端面周縁をコイルを巻いたボビンケースの端面により被覆して、ボビンケース端面と鉄心先端面との間に段差を設けたことにより、球送り部材がソレノイドに吸引された時に、球送り部材の回動を磁性板が直接鉄心に触れることなくボビンケースにて受け止めて停止させることができる。従って、従来のような緩衝材を装着したストッパーを不要にできるうえに、磁性材の残留磁気が鉄心に蓄積されることがないのでソレノイドの吸引力が変動することがない。また、球送り部材の回動が停止された時の磁性板と鉄心との間隔を段差により一定に保つことができるので、パチンコ機間の取付誤差による吸引力のばらつきが生ずることがなく、次動作へのレスポンスが向上して球送り動作を迅速に行うことができる。また、球送り部材の回動をボビンケースで受け止めるようにしたことにより鉄心に直接衝撃がかかることがない。また、ソレノイドを鉄心に設けた係止穴によりユニットケースに緩やかに装着したことにより、ソレノイドが振動してもユニットケースとの間に僅かな隙間が形成されるので、ユニットケースに伝わる振動を著しく低減することができる。従って、本発明のパチンコ機の球送り装置は、送出した球を速やかに静止させて球の発射速度を長期にわたり安定して一定に保つことができる。
【図面の簡単な説明】
【図１】  球発射装置の要部を示す平面図である。
【図２】  球送り部材がソレノイドから離脱した状態のユニットケースの正面図である。
【図３】  球送り部材がソレノイドに吸引された状態のユニットケースの正面図である。
【図４】  球送り部材の構造を示す正面図（ａ）と側面図（ｂ）、及び、磁性材の断面図と平面図（ｃ）である。
【図５】  ソレノイドの側面図（ａ）と正面図（ｂ）である。
【図６】  球発射装置の正面図である。
【図７】  図６の平面図である。
【図８】  球送出直後の球送り装置の側面の断面図である。
【図９】  図８の正面図である。
【図１０】  球送出中の球送り装置の側面の断面図である。
【図１１】  図１０の正面図である。
【符号の説明】
１  ヒンジ
２  球送り部材
３  ソレノイド
４  球の導入口
５  球の送出口
６  磁性板
７  球受け部
１０  ユニットケース
１１  ストッパー
１２  突起
１３  着座面
２０  開閉パネル
２２  軸
２３  球止め部
３０  球発射レール
３１  鉄心
３２  ボビンケース
３３  コイル
３４  係止穴
４０  ロータリーソレノイド
４１  弾球槌
【図１】
0004686053.tif 000002
【図２】
0004686053.tif 000003
【図３】
0004686053.tif 000004
【図４】
0004686053.tif 000005
【図５】
0004686053.tif 000006
【図６】
0004686053.tif 000007
【図７】
0004686053.tif 000008
【図８】
0004686053.tif 000009
【図９】
0004686053.tif 000010
【図１０】
0004686053.tif 000011
【図１１】
0004686053.tif 000012